(57)【要約】【課題】  コネクタの種類を増加させず、かつ市販のコネクタをそのまま利用して誤接続を防止することにより製造コストの低減を図る。【解決手段】  ロアーケース２に取り付けられたプリント基板１０には、回線接続用コネクタジャック１１Ａと、これと形状および構造が同一の保守用コネクタジャック１１Ｂが実装されている。回線接続用コネクタジャック１１Ａのプラグ挿入口１１ａと、保守用コネクタジャック１１Ｂのプラグ挿入口１１ｂとは、互いに指向方向が異なっている。アッパーケース３には、保守用コネクタジャック１１Ｂに接続したプラグ１７ａのケーブル１７に当接して、アッパーケース３が閉じられるのを規制する規制部３０が設けられている。【選択図】  図６
2006278278.tif 000002
【特許請求の範囲】
【請求項１】
基板が取り付けられ一面が開口したロアーケースと、このロアーケースの一端側に枢着され前記ロアーケースの開口を開閉自在とするアッパーケースと、前記基板に設けたコネクタジャックとを備え、前記基板に前記コネクタジャックと形状および構造が同一で、プラグ挿入口が前記コネクタジャックと異なる方向を指向する保守用のコネクタジャックを設け、前記アッパーケースの内側に、前記保守用のコネクタジャックにコネクタプラグを嵌合させた状態でアッパーケースが閉じられるのを阻止する阻止部を設けたことを特徴とするセキュリティー機器におけるコネクタの実装構造。
【請求項２】
請求項１記載のセキュリティー機器におけるコネクタの実装構造において、前記保守用のコネクタジャックのプラグ挿入口を前記ロアーケースの開口側を指向するように前記基板に設けたことを特徴とするセキュリティー機器におけるコネクタの実装構造。
【発明の詳細な説明】
【技術分野】
【０００１】
本発明は、非常事態や緊急事態が発生した場合、回線を介して警察や警備会社等に非常事態や緊急事態を通報する機能を備えたセキュリティー機器におけるコネクタの実装構造に関するものである。
【背景技術】
【０００２】
この種のセキュリティー機器においては、保守点検中に発せられる点検用の非常通報や緊急通報を回線を介して警備会社等に通信してしまうと警備会社等が混乱するため、セキュリティー機器が正常に動作しているか否かを疑似交換機を使って点検し、警備会社等には非常通報を通信しないようにしている。このため、セキュリティー機器内の基板には、通常の交換機側に接続されたコネクタプラグが接続されるコネクタジャックと、疑似の交換機側に接続されたコネクタジャックが接続される保守時のみに使用される保守用のコネクタジャックとの２つのコネクタジャックが設けられている。したがって、このセキュリティー機器を設置しようとする設置人は、通常の交換機側に接続されたコネクタプラグを保守用のコネクタジャックに誤って接続させないように注意を払う必要がある。
【０００３】
従来は、複数の端子収納室が設けられたコネクタプラグと、このコネクタプラグが嵌合され端子収納室より１つ数量の少ない雄の端子を有するコネクタジャックと、コネクタプラグの端子収納室に選択的に取り付けられる検知部材とを備え、前記コネクタジャックに前記検知部材が嵌入する検知用凹部が設けられ、検知部材と検知用凹部とが合致したときのみコネクタプラグをコネクタジャックに嵌合可能にして、コネクタプラグとコネクタジャックとの誤接続を阻止するようにしたものがある（例えば、特許文献１参照）。
【特許文献１】特開平１１−２２５４１６号公報（段落「００１２」〜「００１４」、図１ないし図４）
【発明の開示】
【発明が解決しようとする課題】
【０００４】
上述した従来のコネクタの実装構造においては、コネクタプラグとコネクタジャックとの誤接続を阻止するために、コネクタプラグ側では検知部材を必要とするため部品点数が増加し、コネクタジャック側では検知用凹部の位置が異なる多種類のコネクタジャックを必要とするため、製造コストが増加するという問題があった。また、検知部材や検知用凹部を設けるために市販のコネクタが利用できないという問題もあった。
【０００５】
本発明は上記した従来の問題に鑑みなされたものであり、その目的とするところは、コネクタの種類を増加させず、かつ市販のコネクタをそのまま利用して誤接続を防止することにより製造コストの低減を図ることにある。
【課題を解決するための手段】
【０００６】
この目的を達成するために、請求項１に係る発明は、基板が取り付けられ一面が開口したロアーケースと、このロアーケースの一端側に枢着され前記ロアーケースの開口を開閉自在とするアッパーケースと、前記基板に設けたコネクタジャックとを備え、前記基板に前記コネクタジャックと形状および構造が同一で、プラグ挿入口が前記コネクタジャックと異なる方向を指向する保守用のコネクタジャックを設け、前記アッパーケースの内側に、前記保守用のコネクタジャックにコネクタプラグを嵌合させた状態でアッパーケースが閉じられるのを阻止する阻止部を設けたものである。
【０００７】
請求項２に係る発明は、請求項１に係る発明において、前記保守用コネクタジャックのプラグ挿入口を前記ロアーケースの開口側を指向するように前記基板に設けたものである。
【発明の効果】
【０００８】
請求項１に係る発明によれば、セキュリティー機器を設置する設置人が誤って保守用コネクタジャックにコネクタプラグを接続したままの状態で、アッパーケースを閉じようとしても阻止部によって閉じることができないため、誤接続を防止することができる。また、２つのコネクタを形状および構造を同一とすることができるというだけではなく、コネクタジャックおよびコネクタプラグに誤接続を防止するための構造を加える必要がないことにより、市販のコネクタをそのまま使用できるため製造コストの低減を図ることができる。
【０００９】
請求項２に係る発明によれば、保守点検時にアッパーケースを開くと、保守用コネクタジャックのプラグ挿入口が保守人に対向するように指向していることにより、コネクタジャックへのコネクタプラグの接続が容易となり作業性が向上する。また、アッパーケースの閉鎖時には阻止部が保守用のコネクタジャック内に入り込むため、セキュリティー機器の厚みが増すことがない。
【発明を実施するための最良の形態】
【００１０】
以下、本発明の実施の形態を図に基づいて説明する。図１は本発明に係る非常通報装置の全体の外観を示す斜視図、図２は同じくロアーケースの平面図、図３は同じく非常通報装置を設置するときのコネクタの接続状態を示すロアーケースの平面図、図４は図３におけるIV-IV 線断面図、図５は同じく非常通報装置を保守点検するときのコネクタの接続状態を示すロアーケースの平面図、図６は図５におけるVI-VI 線断面図である。
【００１１】
図６で全体を符号１で示すセキュリティー機器としての非常通報装置は、共に一面に開口２ａ，３ａが形成されたロアーケース２とアッパーケース３とによって構成され、ロアーケース２の底部の一端側に立設された支承部４に突設した枢軸５を中心としてアッパーケース３が回動自在に支持されている。これら両ケース２，３は、互いの開口端を突き合わせるようにしてアッパーケース３を閉じることにより略密閉状態の筺体が形成され、図１に示す錠前６によって施錠される。また、錠前６を解錠しロアーケース２に対してアッパーケース３を開くことにより、この非常通報装置１の保守点検が可能になる。図２において、９，９はロアーケース２の底部に設けた達磨状に形成したフック孔であって、壁に取り付けたフック（いずれも図示せず）をこのフック孔９に係入することにより、非常通報装置１は壁に掛けられる。
【００１２】
図２において、１０はロアーケース２の底部に立設したボス（図示せず）に取り付けられたプリント基板であって、このプリント基板１０上には、形状および構造が同一の回線接続用コネクタジャック１１Ａと保守用コネクタジャック１１Ｂおよび形状および構造が同一のオプション接続用コネクタジャック１２Ａと保守用コネクタジャック１２Ｂとが設けられている。このうち、回線接続用コネクタジャック１１Ａとオプション接続用コネクタジャック１２Ａとは、それぞれのプラグ挿入口１１ａ，１２ａがプリント基板１０の面方向を指向するように、プラグ挿入口１１ａは矢印Ａ方向を指向し、プラグ挿入口１２ａは矢印Ｂ方向を指向するようにプリント基板１０上に設けられている。
【００１３】
一方、保守用コネクタジャック１１Ｂと保守用コネクタジャック１２Ｂとは保守時のみに使用されるものであって、それぞれのプラグ挿入口１１ｂ，１２ｂとが、図４に示すようにプリント基板１０の面に対して鉛直な方向であるＣ方向、すなわちロアーケース２の開口２ａ側を指向するようにプリント基板１０上に設けられている。
【００１４】
回線接続用コネクタジャック１１Ａのプラグ挿入口１１ａには、回線接続用ケーブル１５の一端に取り付けられたコネクタプラグ１５ａが接続され、回線接続用ケーブル１５の他端側は回線に接続されている。オプション接続用コネクタジャック１２Ａのプラグ挿入口１２ａには、オプション接続用ケーブル１６の一端に取り付けられたコネクタプラグ１６ａが接続され、オプション接続用ケーブル１６の他端には図示を省略したオプション機器が接続されている。保守用コネクタジャック１１Ｂのプラグ挿入口１１ｂおよび保守用コネクタジャック１２Ｂのプラグ挿入口１２ｂには、保守用ケーブル１７および保守用ケーブル１８のそれぞれの一端に取り付けられたコネクタプラグ１７ａおよびコネクタプラグ１８ａが接続され、これら保守用ケーブル１７および保守用ケーブル１８のそれぞれの他端には、保守時に使用する図示を省略した疑似交換機が接続されている。
【００１５】
図２において、２０はロアーケース２に取り付けられたブラケットであって、このブラケット２０には、非常通報ボタン２１と発報／確認ボタン２２とのそれぞれが摺動自在に案内されているとともに、スピーカ２３、マイクロフォン２４、電源ランプ２５、映像用ランプ２６、回線用ランプ２７が取り付けられている。２８はブラケット２０に片持ち支持されるように一体に突設された弾性変形可能な舌片状に形成された押圧片であって、この押圧片２８の裏面側に復旧用スイッチ（図示せず）が設けられている。
【００１６】
アッパーケース３の内側には、図４に示すように阻止部３０，３１が一体に突設されており、これら阻止部３０，３１は、アッパーケース３を閉じることにより、保守用コネクタジャック１１Ｂ，１２Ｂのプラグ挿入口１１ｂ，１２ｂから保守用コネクタジャック１１Ｂ，１２Ｂ内に収納される。したがって、阻止部３０，３１が設けられていても非常通報装置１の厚みが増すことがない。一方、保守用コネクタジャック１１Ｂ，１２Ｂにコネクタプラグ１７ａ，１８ａが接続しているときは、図６に示すように、これらコネクタプラグ１７ａ，１８ａの保守用ケーブル１７，１８に阻止部３０，３１が当接して、アッパーケース３を閉じることができないように構成されている。
【００１７】
図１において、３２はアッパーケース３の前面板の一部を覆う操作パネルであって、この操作パネル３２には、矩形状に形成された２つの窓３３，３４と、多数のスピーカー用の小孔３５と、２つの小孔３６，３７と、矩形状に形成された３つの小孔３８，３９，４０が設けられている。このうち、窓３３，３４には、上記した非常通報ボタン２２と発報／確認表示灯２２とのそれぞれが臨み、小孔３５、小孔３６の裏面側には、スピーカ２３とマイクロフォン２４のそれぞれが設けられており、小孔３８，３９，４０には、電源ランプ２５、映像用ランプ２６、回線用ランプ２７のそれぞれが臨んでいる。また、小孔３７の裏面側には押圧片２８が設けられており、小孔３７に先端が針状を呈する工具を挿入し、押圧片２８を押圧して弾性変形させることにより復旧用スイッチが作動する。
【００１８】
次に、このように構成された非常通報装置１の設置作業と保守作業について説明する。先ず、設置人による設置作業について説明する。図１において、錠前６を解錠してアッパーケース３を開き、ロアーケース２の開口２ａを開放状態として、回線接続用ケーブル１５のコネクタプラグ１５ａをコネクタジャック１１Ａに接続して、回線接続用ケーブル１５の他端側をロアーケース２の導出口（図示せず）から導出する。また、非常通報装置１にオプション機能を付加する要求があった場合は、オプション接続用ケーブル１６のコネクタプラグ１６ａをコネクタジャック１２Ａに接続して、オプション接続用ケーブル１６の他端側をロアーケース２の導出口（図示せず）から導出する。
【００１９】
このとき誤って、回線接続用ケーブル１５のコネクタプラグ１５ａをコネクタジャック１１Ａと形状および構造が同一の保守用コネクタジャック１１Ｂに接続させていたり、オプション接続用ケーブル１６のコネクタプラグ１６ａをコネクタジャック１２Ａと形状および構造が同一の保守用コネクタジャック１２Ｂに接続したままの状態であったとする。このようなときは、アッパーケース３を閉じようとするときに、阻止部３０，３１が回線接続用ケーブル１５，１６に当接するため、アッパーケース３を閉じることができないからコネクタプラグの誤接続を防止できる。
【００２０】
アッパーケース３を閉じた後、各窓３８，３９，４０に臨む電源ランプ２５、映像用ランプ２６、回線用ランプ２７が点灯しているかを確認してから、操作パネル３２の窓３３に指を挿入し、非常通報ボタン２１を押圧して作動させる。非常通報ボタン２１を作動させることにより、回線接続用ケーブル１５および交換機ならびに回線（いずれに図示せず）を介してこの非常通報装置１と接続されている警備会社等に非常事態や緊急事態が通報され、発報／確認表示灯２２が点灯する。
【００２１】
非常通報や緊急通報が確認できたら、針状を呈する工具の先端を操作パネル３２の小孔３７から異常通報装置１内に挿入し、工具の先端で押圧片２８を押圧することにより、押圧片２８が弾性変形する。この押圧片２８の弾性変形により復旧用スイッチがオンし、非常通報装置１の設定が初期状態に戻り、設置作業が終了する。
【００２２】
次に、保守人による保守作業について説明する。この場合、上記したように設置人によって、既にコネクタジャック１１Ａに回線接続用ケーブル１５のコネクタプラグ１５ａが嵌合され、コネクタジャック１２Ａにオプション接続用ケーブル１６のコネクタプラグ１６ａが嵌合されている。この状態で、非常通報装置１のアッパーケース３を錠前６を解錠して開き、ロアーケース２の開口２ａを開放状態として、図５に示すように保守用ケーブル１７のコネクタプラグ１７ａを保守用コネクタジャック１１Ｂに接続するとともに、保守用ケーブル１８のコネクタプラグ１８ａを保守用コネクタジャック１２Ｂに接続する。このとき、保守用コネクタジャック１１Ｂ，１２Ｂのプラグ挿入口１１ｂ，１２ｂとが、ロアーケース２の開口２ａ側を指向するようにプリント基板１０上に設けられているため、これらのプラグ挿入口１１ｂ，１２ｂが保守人に対向した状態になるから、コネクタプラグの接続が容易となり作業性が向上する。
【００２３】
保守用ケーブル１７，１８の他端を疑似交換機（図示せず）に接続し、操作パネル３２の窓３３に指を挿入し、非常通報ボタン２１を押圧して作動させることにより、疑似交換機を介して異常通報装置１が正常に通報されているかを確認する。非常通報が確認できたら、針状を呈する工具の先端を操作パネル３２の小孔３７から非常通報装置１内に挿入し、復旧用スイッチをオンさせることにより保守点検作業が終了する。
【００２４】
このように、常時使用するコネクタジャック１１Ａ，１２Ａと、保守時のみに使用するコネクタジャック１１Ｂ，１２Ｂとの２つのコネクタジャックの形状および構造を同一としても誤接続を防止することができる。また、コネクタジャック１１Ａ，１１Ｂと、これに接続されるコネクタプラグ１５ａ，１７ａおよびコネクタジャック１２Ａ，１２Ｂと、これに接続されるコネクタプラグ１６ａ，１８ａに誤接続を防止するための構造を加える必要がないため、市販のコネクタをそのまま使用できるから製造コストの低減を図ることができる。
【図面の簡単な説明】
【００２５】
【図１】本発明に係る非常通報装置の全体の外観を示す斜視図である。
【図２】本発明に係る非常通報装置のロアーケースの平面図である。
【図３】本発明に係る非常通報装置を設置するときのコネクタの接続状態を示すロアーケースの平面図である。
【図４】図３におけるIV-IV 線断面図である。
【図５】本発明に係る非常通報装置を保守点検するときのコネクタの接続状態を示すロアーケースの平面図である。
【図６】図５におけるVI-VI 線断面図である。
【符号の説明】
【００２６】
１…非常通報装置、２…ロアーケース、２ａ…開口、３…アッパーケース、１０…プリント基板、１１Ａ…回線接続用コネクタジャック、１２Ａ…オプション接続用コネクタジャック、１１Ｂ，１２Ｂ…保守用コネクタジャック、１１ａ，１１ｂ，１２ａ，１２ｂ…プラグ挿入口、１５…回線接続用ケーブル、１６…オプション接続用ケーブル、１７，１８…保守用ケーブル、１５ａ，１６ａ，１７ａ，１８ａ…コネクタプラグ、２１…非常通報ボタン、２２…発報／確認表示灯、３０，３１…阻止部。
【図１】
2006278278.tif 000003
【図２】
2006278278.tif 000004
【図３】
2006278278.tif 000005
【図４】
2006278278.tif 000006
【図５】
2006278278.tif 000007
【図６】
2006278278.tif 000008